(57)【特許請求の範囲】
【請求項１】
突出部を有する装飾材を建物の壁面に取り付けて壁面を装飾する装飾材の取付構造において、建物の壁面と、壁面に固着されて装飾材を当該壁面に固定するブラケットとの間に雨水などの流通路となる間隙部を設け、装飾材を、その上部が壁面に接しないようにして上記ブラケットに取り付けたことを特徴とする装飾材の取付構造。
【請求項２】
装飾材の上面部を壁面側に下方傾斜させてなる請求項１に記載の装飾材の取付構造。
【請求項３】
装飾材とブラケットとを一体に設けてなる請求項１又は２に記載の装飾材の取付構造。
【発明の詳細な説明】
【０００１】
【発明の属する技術分野】
本発明は、建物の外壁などに取り付けられる装飾材の取付構造にかかり、主として長手方向に連続した突出部を有する装飾材を用い、これを壁面に取り付けて、凸状の段差が壁面に形成されるようにした構造のものに関する。
【０００２】
【従来の技術】
建物の外壁を段差を有する装飾壁面とする場合、例えば図４に示されているように、表面を凸状に膨出させてなる装飾材４１を用い、その上下両端の折り返し片部４１ａ，４２ｂをネジ４２により壁面に固着し、両ネジ止め部上方の壁面４３と装飾材４１との隙間にコーキング材４４を充填した取付構造が多用されていた。
【０００３】
【発明が解決しようとする課題】
従来の取付構造によれば、壁面４３と装飾材４１の露出した表面とが一体の連続面となり、降雨時に壁面４３を伝う雨水はそのまま装飾材４１の表面に流れ落ちるが、この際、壁面４３に付着していた埃や塵も雨水に混じって流れ落ち、その一部が化粧材表面に付着して筋状の汚れを残したり、或いは雨水に混じって流れ落ちた塵や埃が化粧材４１の突出した上面部に堆積したりして、壁面４３の美観を損なわすという問題があった。
【０００４】
本発明は従来技術の有するこのような問題点に鑑み、突出部を有する装飾材を建物の壁面に取り付けて壁面を装飾する装飾材の取付構造において、雨水に混じって壁面を流れ落ちる塵や埃が装飾材に付着し難い構造とし、施工当初の壁面の美観を維持できるようにすることを課題とする。
【０００５】
【課題を解決するための手段】
上記課題を解決するため、突出部を有する装飾材を建物の壁面に取り付けて壁面を装飾する本発明の装飾材の取付構造は、建物の壁面と、壁面に固着されて装飾材を当該壁面に固定するブラケットとの間に雨水などの流通路となる間隙部を設け、装飾材を、その上部が壁面に接しないようにして上記ブラケットに取り付けたことを特徴とするものである。
【０００６】
これによれば、降雨時、壁面を伝う雨水は、装飾材を支持するブラケットと、壁面との間の間隙部、つまり装飾材の裏面側を通って流れ落ち、雨水に混じった塵や埃が装飾材の表面に伝って跡を残したり装飾材の上面部に堆積したりせず、装飾した壁面の美観を維持できる。
【０００７】
上記装飾材は、その上面部を壁面側に下方傾斜させてあることが好ましい。
装飾材の上面部がこのように設けてあれば、当該上面部に滴下した雨水が装飾材裏面側の上記間隙部へと導かれ、装飾材の表面側に伝う雨水が減って、装飾材を汚れ難くすることができる。
【０００８】
上記装飾材とブラケットとは一体に設けることができる。
本発明は、装飾材の裏面と壁面との間に設けた間隙部に雨水が流れ落ちるように仕向けるものであり、上記間隙部に雨水が流れ落ちるよう構成されている限り、装飾材の形状、寸法及びその取り付け態様は適宜なものとすることができる。本発明は、凸状の段差を有する装飾壁面とするために突出部を有する長尺の装飾材を用いる場合に特に効果的であるが、突出部のない装飾材や短尺の装飾材の取り付けにも適用し得るものである。
【０００９】
【発明の実施の形態】
図面を参照して本発明の好適な実施形態を説明する。
図１及び図２は本発明の第１実施形態を示しており、これは、装飾材１の裏面にホルダー２を一体に固着し、このホルダー２を、ライナー４を挟んで建物の壁面Ａに固着されたブラケット３に装着しビス止めして、壁面Ａに装飾材１を取り付けたものである。
【００１０】
装飾材１は、鋼材その他適宜な材料を用い、表面側に突出部１ａを有した長尺板状に形成されている。
詳しくは、装飾材１は断面略々半円筒状を呈し、その膨出した曲面部を突出部１ａとして表面側に向け、これと対向した平板面を裏面部１ｂとなし、その上面部１ｃを、突出部１ａと裏面部１ｂの上部交差部よりも前方から裏面側下方に若干傾斜させ、且つ裏面部１ｂを超えて適宜な長さ突出させると共に、その突出端部に、さらに下方に折曲した折れ片１ｄを連ねて形成されている。
【００１１】
ホルダー２は、装飾材１と同様の材料を用い、装飾材１の裏面部１ｂに接合する前面部２ａを有して、装飾材１と略同じ長さの長尺板状に形成されている。
詳しくは、ホルダー２は前面部２ａを上記裏面部１ｂの４／５程度の高さに設け、その上端部に上記折れ部１ｃに重合し得るように裏面側に折曲され、且つ端部を下向きに折り返してなるコ字状部２ｂを設け、このコ字状部２ｂの先端縁部を後述の軸受部３ｄに回動可能に係合する軸部２ｃとなし、前面部２ａの下端部に若干上方に湾曲しながら裏面側に折曲された当接片２ｄを設けて形成されている。これらホルダー２の各部は後述のブラケット３に装着し得る寸法に設けられている。
ホルダー２は、前面部２ａを上記裏面部１ｂに、コ字状部２ｂの上面部を上記折れ部１ｃにそれぞれ接合させて、リベットなどの固着部材５ｂにより装飾材１の裏面に一体に固着されている。
なお、ホルダー２は、装飾材１よりも短尺に形成し、装飾材１の裏面に部分的に取り付け、或いは複数個を適宜な間隔毎に取り付けて用いることもできる。
【００１２】
ブラケット３は、装飾材１又はホルダー２と同様の材料を用い、装飾材１と略同じ長さの長尺状に形成されている。
詳しくは、ブラケット３は、壁面Ａに接合可能に設けた固着板部３ａの上下両端に突片３ｂ，３ｃを突設させた断面コ字状を呈し、上部突片３ｂの上面部に上記ホルダー２の軸部２ｃが係合する凹状の軸受部３ｄを設け、上部突片３ｂの先端部を固着板部３ａと平行に下方に折曲し、下部突片３ｃを若干上方に湾曲させて形成されており、軸受部３ｄに上記軸部２ｃを係合させ、上部突片３ｂの先端折れ部に上記前面部２ａの裏面を、下部突片３ｃの下面に上記当接片２ｄの上面をそれぞれ接合させて前面側からホルダー２が固着された装飾材１を装着し、これを支持できるようになっている。
【００１３】
ライナー４は、適宜な厚みのアルミ板を用いてなり、上記固着板部３ａの裏面側に重合させて、壁面Ａとブラケット３との間に介装されている。
ライナー４は、ブラケット３のネジフィッシャーなどの固着部材５ａが挿通される部位にのみ装着され、図示されないが、ブラケット３の長手方向に適宜な間隔を開けて配置されている。
【００１４】
装飾材１の壁面Ａへの施工手順は、先ず、取り付け位置の壁面にブラケット３をライナー４を介して据え付け、ブラケット３の前方から固着部材５ａを打ち込み、ブラケット３とライナー４と共に壁面Ａに固着する。この状態で、ブラケット３の長手方向に沿って隣接するライナー４の間、つまり、ライナー４が重合されていないブラケット３の裏面と壁面Ａとの間には、ライナー４の厚み分の間隙部Ｘが形成される。
【００１５】
そして、図２に示されているように、装飾材１の裏面に固着されたホルダー２の軸部２ｃをブラケット３の軸受部３ｄ内に上方から差し入れ、両部を係合させたまま、ホルダー２の前面部２ａと当接片２ｄとがブラケット３の上部突片３ｂの先端折れ部と下部突片３ｃとに接合するまで装飾材１を下方へ回動させ、重なり合った上記当接片２ｄと下部突片３ｃとにビスなどの固着部材５ｃを挿通して両片を締結することにより、装飾材１がブラケット３に固定され、壁面Ａへの取り付けが完了する。
この状態で、装飾材１の折れ片１ｄは、ブラケット３の固着板部３ａの上方に位置し、装飾材１と壁面Ａとの間には、上記と同様の間隙部Ｘが形成される。
【００１６】
このように取り付けられた装飾材１は、壁面Ａとの間に間隙部Ｘを開けて固定されるので、降雨時、壁面Ａを伝う雨水は間隙部Ｘを通って流れ落ち、雨水に混じった塵や埃が装飾材１の表面に伝って跡を残したり装飾材１の上面部１ｃに堆積したりする虞れがない。
而も、装飾材１の上面部１ｃは壁面Ａ側に下方傾斜させてあり（図１中、符号θ参照）、装飾材１の上面に滴下した雨水は、その大部分が当該傾斜面部を伝って間隙部Ｘへと流れ落ちる。従って、装飾材１の表面側に雨水が流れ落ち難くなり、雨水による汚れが装飾材１の突出部１ａには付着し難くなる。
また、間隙部Ｘはブラケット３の裏面側に広く開けて設けられているから、ブラケット３の壁面Ａや装飾材１との接合部に雨水が溜まることはなく、間隙部Ｘ内の壁面Ａを伝ってスムーズに流れ落ちる。
【００１７】
図３は本発明の第２実施形態を示しており、これは、前記実施形態よりも大寸に形成された装飾材１に前記実施形態と共通のホルダー２を固着し、これを、同じく大寸に形成されたブラケット３にビス止めして、壁面Ａに装飾材１を取り付けたものである。
【００１８】
装飾材１は、前記形態と同様、突出部１ａ、裏面部１ｂ、裏面側に下方傾斜した上面部１ｃ及び折れ片１ｄを有する断面略々半円筒状を呈し、さらに裏面部１ｂの下部に当該裏面部から垂直に突出する当接片１ｅを設けて形成されており、その裏面部１ｂにホルダー２が固着してある。上記当接片１ｅはブラケット３の下部突片３ｃに重合し得る寸法に設けてある。
【００１９】
ブラケット３も、前記形態とは固着板部３ａの高さを大寸に設けてある点が異なる他、固着板部３ａの上下両端に突片３ｂ，３ｃを突設させた断面コ字状に設けられているのは同様であり、軸受部３ｄにホルダー２の軸部２ｃを係合させ、上部突片３ｂの先端折れ部にホルダー２の前面部２ａの裏面を、下部突片３ｃの下面に装飾材１の当接片１ｅの上面をそれぞれ接合させて前面側から装飾材１を装着し、これを支持できるようになっている。
【００２０】
装飾材１の壁面Ａへの施工は、前記形態と同様、ライナー４を挟んで壁面Ａにブラケット３を固着し、ブラケット３の前方から装飾材１を装着し、重なり合った上記当接片１ｅと下部突片３ｃとに固着部材５ｃを挿通して両片を締結することにより行うことができる。
【００２１】
本形態によっても、装飾材１は壁面Ａとの間に間隙部Ｘを開けて固定されるので、降雨時、雨水を装飾材１の裏面側を通って排水させることができ、また、装飾材１の上面部１ｃは壁面Ａ側に下方傾斜させてあるので（図３中、符号θ参照）、雨水に混じった塵や埃が装飾材１の表面に伝って跡を残したり装飾材１の上面部１ｃに堆積したりする虞れがなく、雨水によって壁面Ａの美観が損なわれることを防止することができる。
【００２２】
上記両形態は一例であって本発明はこれらに限定されるものではない。装飾材１とホルダー２を一体に成形した態様、さらに装飾材１、ホルダー２及びブラケット３を一体に成形した態様など適宜な態様とすることができる。
また、ライナー４を介してブラケット３を壁面Ａに固着することで間隙部Ｘを形成したが、装飾材１の裏面側に雨水の流通路となる空間部が形成されているのであれば、他の手段を採用してもよい。例えばブラケット３の固着板部３ａや装飾材１又はホルダー２の裏面部に、筋状の或いは適宜な幅の排水溝を設け、この排水溝から雨水が排水されるようにした態様などである。
なお、上記各部材は腐食し難い耐水性の良好な材料、或いは表面に耐水加工が施された材料を用いるのが好ましい。
【図面の簡単な説明】
【図１】本発明の装飾材の取付構造の一実施形態を示した側断面図である。
【図２】図１の形態の装飾材をブラケットに取り付ける手順を説明するための側断面図である。
【図３】本発明の装飾材の取付構造の他の実施形態を示した側断面図である。
【図４】従来の装飾材の取付構造を示した側断面図である。
【符号の説明】
1   装飾材
2   ホルダー
3   ブラケット
4   ライナー
5a,5b,5c  固着部材
Ａ  壁面
Ｘ  間隙部
θ  傾斜角
【図１】
0004249300.tif 000002
【図２】
0004249300.tif 000003
【図３】
0004249300.tif 000004
【図４】
0004249300.tif 000005